(57)【特許請求の範囲】
【請求項１】
シャッターカーテンを開閉方向に移動するモータ、
前記モータに供給される電力を遮断するスイッチ、
前記モータの出力軸に連結されると共に前記シャッターカーテンの移動方向に応じてカウントされ、そのカウント値が所定値になった時に前記スイッチを動作させるカウンタ、
押圧によって前記カウンタが設定されるセットノブ、
前記カウンタおよび前記セットノブを内部に収納したケースからなるリミット設定機構と、
前記ケースに着脱自在に設けられたソレノイドケース、
前記ソレノイドケースに収納され、プラグから供給される電源により励磁されることによりプランジャを突出させ前記セットノブを押圧し、前記カウンタの所定値を設定するソレノイドからなる設定手段とを備えたシャッターのリミット設定装置。
【発明の詳細な説明】
【０００１】
【産業上の利用分野】
この発明は、シャッターの上下限位置でモータに供給されている電力を遮断してシャッターカーテンを停止させる電動シャッター用制御装置に用いられるシャッターのリミット設定装置に関するものである。
【０００２】
【従来の技術】
図６は例えば実開平５−４０５９８号公報に示された従来の電動シャッター用制御装置の回路図である。従来の電動シャッターではシャッターカーテンが上限位置，下限位置または上下限位置に到達した時に自動的にシャッターカーテンの移動を停止させるリミット装置が設けられている。図６ではシャッターカーテンを開閉方向に移動させる駆動回路とその駆動回路に信号を供給する手元操作器とから構成されており、手元操作器は、開スイッチ（ＯＰＥＮ），停止スイッチ（ＳＴＯＰ）及び閉スイッチ（ＣＬＯＳＥ）からなる操作スイッチ１４を備えている。また、その操作スイッチ１４は、操作されたスイッチに応じたコード信号を出力する信号処理回路Ｕ１に接続されている。信号処理回路Ｕ１には、例えば３８ｋＨｚの搬送波を発振する発振回路１０が接続されている。
【０００３】
安定化回路１２はノイズ吸収等の作用を行うコンデンサＣ３〜Ｃ５で構成され、発振回路１０はセラミック発振器Ｘ及びコンデンサＣ１，Ｃ２で構成されている。また、信号処理回路Ｕ１にはコンデンサＣ７及びツェナーダイオードＺＤ１から成る定電圧回路１６及びドライバ１８が接続されている。このドライバ１８は抵抗Ｒ１〜Ｒ３，トランジスタＱ１で構成されている。また、信号処理回路Ｕ１にはダイオードＤ１，Ｄ２が接続されている。上記のように構成された手元操作器は、壁面の操作しやすい位置に取付けられる。
【０００４】
また、ドライバ１８を構成する抵抗Ｒ３の一端は、電圧降下用の抵抗Ｒ４を備えた電源線３２を介して整流器ＤＢに接続されており、更に、整流器ＤＢは変圧器ＰＴを介して交流電源３０に接続されている。この交流電源３０には、リレー接点Ｋ１〜Ｋ３を介してモータＭが接続されている。尚、Ｃ１５は平滑用コンデンサ、Ｃ１６は進相用コンデンサである。
【０００５】
また、電源線３２には直流成分カット用のフィルタを構成するコンデンサＣ７，コード信号を増幅する増幅回路２０，定電圧回路２２及び積分回路２４を介して信号判別回路Ｕ２が接続されている。増幅回路２０は抵抗Ｒ５〜Ｒ９，トランジスタＱ２，コンデンサＣ８で構成され、定電圧回路２２はツェナーダイオードＺＤ２及びコンデンサＣ９で構成され、積分回路２４はダイオードＤ３，抵抗Ｒ１０及びコンデンサＣ１０で構成されている。ドライバ１８，増幅回路２０，定電圧回路２２及び積分回路２４は、設置された電源線３４によって共通接続されている。また、信号判別回路Ｕ２にはコンデンサＣ１１，Ｃ１２及び抵抗Ｒ１１で構成されてクロック信号を発生する発振回路２６が接続されている。
【０００６】
信号判別回路Ｕ２は、シャッターカーテンを開閉する方向にモータＭを回転させると共にモータＭを停止させるように制御する制御回路２８に接続されている。制御回路２８は、トランジスタＱ３〜Ｑ５，抵抗Ｒ１２〜Ｒ１５，ダイオードＤ４〜Ｄ１１，コンデンサＣ１３，Ｃ１４，インバータＩ１〜Ｉ４及びリレー接点Ｋ１〜Ｋ３をオンオフするリレーコイルＫ１〜Ｋ３によって構成されている。シャッターカーテンを閉鎖方向に移動させるためのリレーコイルＫ２はスイッチ４０を介して電源線３２に接続されている。スイッチ４０を作動させるカウンタ４２はモータＭの出力軸に連結されている。また、モータＭの出力軸にはタコジェネレータＴＧが連結されている。
【０００７】
トランジスタＱ４のベース及びトランジスタＱ５のベースは、アンド回路３６の入力端にそれぞれ接続されている。アンド回路３６の出力端は抵抗Ｒ１６を介してトランジスタＱ６のベースに接続されている。トランジスタＱ６のエミッタは接地され、コレクタはカウンタをセットするプランジャを駆動するためのソレノイド３８と抵抗Ｒ１７を介して電源線３２に接続されている。ソレノイド３８と抵抗Ｒ１７との接続線は、コンデンサＣ１７を介して接地されている。このように構成された駆動回路は、まぐさ部上部の壁面に取付けられる。
【０００８】
次に図７を参照してソレノイド３８，スイッチ４０及びカウンタ４２から成るリミット設定機構の詳細を説明する。モータＭにはＬ字状の固定プレート５０が固定されており、この固定プレート５０にプリセット型のカウンタ４２がブラケットを介して取付けられている。モータＭの出力軸４４にはギヤ４６が固定されており、このギヤ４６はギヤ４８と噛合している。このギヤ４８はカウンタプーリを回転させるカウンタドライブギヤ５６に連結されている。カウンタ４２には３つの字車が設けられており、この字車はカウンタプーリの回転によって回転する。各字車には０〜９までの数字があり、１番下側の１桁目の字車が１回転すると２桁目の字車が１カウント上り、２桁目の字車が１回転すると３桁目の字車が１カウント上る。カウンタ４２の上側にはスイッチ板５４が設けられており、スイッチ板５４には接点４０Ａ，４０Ｂから成るスイッチ４０が設けられている。接点４０Ａ，４０Ｂの各々はリード線５２を介してリレーコイルＫ２，電源線３２のそれぞれに接続されている。
【０００９】
このカウンタ４２には、カウンタを設定するセットノブ５８が設けられており、このセットノブ５８の近傍には、固定プレート５０に固定されたプランジャ固定具６６に移動可能に設けられたプランジャ６０が配置されている。このプランジャ６０にはソレノイド３８が巻回されており、このソレノイド３８の外周にヨーク６４が設けられている。このソレノイド３８はリード線を介してそれぞれトランジスタＱ６のコレクタ，抵抗Ｒ１７の一端が接続されている。
【００１０】
次に動作について説明する。交流電源３０からは交流電源線を介してリレー接点Ｋ１〜Ｋ３の開閉状態に応じてモータＭに交流電力が供給される。また、交流電源３０から供給された交流は、変圧器ＰＴで降圧された後、整流器ＤＢで直流に整流され、電源線３２，３４を介して手元操作器側及び制御回路側に供給される。操作スイッチ１４のいずれかのスイッチを操作すると、搬送波を操作されたスイッチに応じたコードで変調したコード信号が信号処理回路Ｕ１から出力される。ドライバ１８のトランジスタＱ１は信号処理回路Ｕ１から出力されたコード信号に応じてオンオフされ、電源線３２，３４にこのコード信号を重畳させる。電源線３２に重畳されたコード信号は、電源線３２，３４を介して駆動回路側に伝送される。コンデンサＣ７は、供給された信号の直流成分をカットし、交流成分のみを通過させる。この交流成分は増幅回路２０によって増幅され積分回路２４によって積分される。信号判別回路Ｕ２は、入力された信号のコードを判別し、そのコードに応じてトランジスタＱ３〜Ｑ５のいずれか１つをオンさせる。トランジスタＱ３がオンされると、リレーコイルＫ１，Ｋ３が励磁され、リレーコイルＫ２が非励磁状態になるため、リレー接点Ｋ１，Ｋ３がオン，Ｋ２がオフしてモータＭがシャッターカーテンを開放する方向に回転される。また、トランジスタＱ４がオンされるとリレー接点Ｋ３がオフされモータＭが停止される。更に、トランジスタＱ５がオンされるとリレー接点Ｋ１，Ｋ２のオンオフ状態が反転されモータＭはシャッターカーテンを閉鎖する方向に回転される。
【００１１】
コンデンサＣ１７は、電源線３２から抵抗Ｒ１７を介して電流が供給され常時充電されている。シャッターカーテンを下限位置に停止させた状態で、停止スイッチと閉スイッチとを同時にオンさせるとアンド回路３６からハイレベルの信号が出力され、トランジスタＱ６がオンされる。トランジスタＱ６がオンするとコンデンサＣ１７に充電されていた電荷がソレノイド３８及びトランジスタＱ６を介して放電されるため、ソレノイド３８が励磁されカウンタ４２が設定される。これによって、シャッターカーテンの下限位置とカウンタ４２のカウンタ値とが対応する。操作スイッチの操作によってカウンタを設定しているため遠隔操作によってカウンタを設定することができる。尚、カウンタ４２が設定されたときのカウント値は０００である。シャッターカーテンが開放方向に移動されるとカウンタ４２はアップカウントされ、閉鎖方向に移動されるとダウンカウントされる。シャッターカーテンが閉鎖方向に移動されてカウント値が０００から９９９に変化するとスイッチ４０がオフされてリレーコイルＫ２が消磁され、リレー接点Ｋ２がオフになる。この結果、モータＭに供給されていた電力が遮断され、モータＭが停止し、シャッタカーテンが下限位置に停止する。
【００１２】
尚、タコジェネレータＴＧから出力された信号によって生成されたパルスが常時カウントされており、このカウント値によりシャッタカーテンが上限位置に到達したと判断されるとリレー接点Ｋ１がオフされてシャッタカーテンが上限位置に停止される。
【００１３】
【発明が解決しようとする課題】
従来の電動シャッター用制御装置は以上のように構成されているので、ソレノイド３８，スイッチ４０及びカウンタ４２から成るリミット設定機構の設定は、シャッター取付け時においてのみ行われるものであり、特にソレノイド３８は設定以後不要であるにもかかわらず、各電動シャッター毎に永久的に設けておかなくてはならず、リミット設定機構が大形化及び大重量化し、且つ高価格化してしまうなどの問題点があった。
【００１４】
この発明は上記のような問題点を解消するためになされたもので、リミット設定機構の一部を分離し、その分離されたリミット設定機構を外部より着脱自在にして設定治具扱いにすることによって、小形化及び小重量化でき、且つ低価格化の図れるシャッターのリミット設定装置を得ることを目的とする。
【００１５】
【課題を解決するための手段】
この発明に係るシャッターのリミット設定装置は、そのリミット設定装置をカウンタと設定手段とに分離し、その分離された設定手段を前記カウンタに着脱自在に設けたものである。
【００１６】
【作用】
この発明におけるシャッターのリミット設定装置は、据付け後のカウンタの設定時のみそのカウンタに設定手段を取付ける。設定後はカウンタから設定手段を取り外す。よって、カウンタの設定時以外はリミット設定装置に設定手段を設ける必要はなく、小形化及び小重量化且つ低価格化が図れる。
【００１７】
【実施例】
実施例１．
以下、この発明の一実施例を図について説明する。図１はこの発明のリミット設定機構を示す斜視図であり、ケースの一部を破断して内部構造の一部を示したものである。また、図のリミット設定機構は、図７に示した従来技術のリミット設定機構でソレノイド，スイッチ及びカウンタがあったものからソレノイド及びそのソレノイドを励磁するための回路を除いたもので構成されている。図において、１はケース、２ａ，２ｂはケース１の側面に設けられ、図２及び図３に示すソレノイドを取付けるためのソレノイド取付穴、３はそのソレノイド取付穴２ａ，２ｂの中央に設けられ、取付けられたソレノイドによってセットノブ５８を押圧するためのセットノブ押圧穴である。尚、破断したケース１内部の構成は図７に示した従来技術のものと同一部に同一符号を付してその説明を省略する。
【００１８】
図２及び図３はこの発明のソレノイドを示す斜視図及び正面図であり、図において、４はソレノイド、５はソレノイドケース、６はソレノイド４が励磁されることによって突出し、図１に示したセットノブ押圧穴３を通してセットノブ５８を押圧するプランジャである。７ａ，７ｂはソレノイド取付穴２ａ，２ｂに挿入することによって係合され、ケース１にソレノイドケース５が着脱自在なホルダ爪であり、ケース１にソレノイドケース５が取付けられた状態でプランジャ６の延長線上にセットノブ５８があるように各部品が配置されている。尚、前記ソレノイド４，ソレノイドケース５，プランジャ６及びホルダ爪７ａ，７ｂによって設定手段を構成する。８は電源線９をケース１に通す電源線穴である。
【００１９】
図４はこの発明のソレノイド励磁用電源回路を示す回路図であり、図において、７０は交流１００Ｖの電源を供給するためのプラグ、７１はボックス内に納められた電源回路であり、ヒューズＦ，パイロットランプＰＬ，変圧器ＰＴ，整流器ＤＢ，コンデンサＣ，抵抗器Ｒ及びセットスイッチＳＷから構成されている。また図５はこの発明の電動シャッター用制御装置の回路図である。図４に示したようにソレノイド励磁用電源回路だけ別回路になるので、図１に示した従来技術の回路図に比較して、アンド回路３６，抵抗Ｒ１６，Ｒ１７，ソレノイドＳＬ，コンデンサＣ１７，トランジスタＱ６よりなる回路部が不要になっている。
【００２０】
次に動作について説明する。シャッター据付け後のカウンタ４２の設定時には、まずケース１のソレノイド取付穴２ａ，２ｂに着脱自在なホルダ爪７ａ，７ｂを挿入し、ケース１にソレノイド４を取付ける。下限リミット設定は従来と同様であり、シャッターカーテンを下限位置に停止させた状態で、図４に示したセットスイッチＳＷをオンにしソレノイド４を励磁する。励磁されたソレノイド４はその磁力によってプランジャ６を突出させセットノブ押圧穴３を通してセットノブ５８を押圧する。このようにセットノブ５８の押圧によってカウンタ４２のカウント値を０００に設定する。設定後はソレノイド取付穴２ａ，２ｂからホルダ爪７ａ，７ｂを抜くことによってケース１からソレノイド４を取外す。
【００２１】
従って、従来技術のリミット設定機構からソレノイド及びそのソレノイドを励磁するための回路を除いたリミット設定機構を常時設置とし、ソレノイド関係部品である設定手段は設定時のみ設ける治具扱いとすることができ、製造を容易にすると共に小形化及び小重量化し、更に、低価格化することができる。
尚、上記実施例では、カウンタを用いてシャッターカーテンを下限位置に停止させる例について説明したが、シャッターカーテンを上限位置に停止させるようにしてもよく、また、２つのカウンタを用いて上下限位置に停止させるようにしてもよい。
【００２２】
【発明の効果】
以上のように、この発明によれば、リミット設定装置をカウンタと設定手段とに分離し、その分離された設定手段を前記カウンタに着脱自在に設けるように構成したので、その分離された設定手段を外部より着脱自在にし設定治具扱いにすることができ、よって、各シャッターに常設として設定手段を設ける必要がなく製造を容易に行えると共に小形化及び小重量化でき、更に、低価格化ができるシャッターのリミット設定装置が得られる効果がある。
【図面の簡単な説明】
【図１】この発明のリミット設定機構を示す斜視図である。
【図２】この発明のソレノイドを示す斜視図である。
【図３】この発明のソレノイドを示す正面図である。
【図４】この発明のソレノイド励磁用電源回路を示す回路図である。
【図５】この発明の電動シャッター用制御装置の回路図である。
【図６】従来の電動シャッター用制御装置の回路図である。
【図７】従来のリミット設定機構を示す斜視図である。
【符号の説明】
４  ソレノイド（設定手段）
５  ソレノイドケース（設定手段）
６  プランジャ（設定手段）
７ａ，７ｂ  ホルダ爪（設定手段）
４２  カウンタ
４４  出力軸
Ｍ  モータ
Ｋ１，Ｋ２，Ｋ３  スイッチ
【図１】
0003599808.tif 000002
【図２】
0003599808.tif 000003
【図３】
0003599808.tif 000004
【図４】
0003599808.tif 000005
【図５】
0003599808.tif 000006
【図６】
0003599808.tif 000007
【図７】
0003599808.tif 000008